(57)【要約】      （修正有）【課題】使用者が通常の姿勢で立ったまま簡単に靴を履いたり、脱いだりすることができ、また外出時にもそのままステッキとして使用できる携行型靴脱着補助具を提供する。【解決手段】携行型靴脱着補助具１０は外出時にステッキとして使用されるような長さのステッキ状棒部材１を有しており、このステッキ状棒部材１の先端部近傍部位の側部に、ステッキ状棒部材１に対して横方向に突出する踵当て板部材２が固着されている。この踵当て板部材２は、棒部材１の側部にビス止めなどの手段で固着される取付座３と、取付座３の外面に直角に延びた当て板部材５とで構成されている。当て板部材５の突出長さは、ステッキ状棒部材１を靴６の踵８の後部に近接して地面７上に垂直に立てたとき、当て板部材５の先端下面が靴６の踵８の上縁８ａに接当する程度の長さで、かつステッキとして持ち歩くときに邪魔にならないように出来るだけ短い突出長さとする。【選択図】図１
0003208897.tif 000002
【実用新案登録請求の範囲】
【請求項１】
ステッキ状棒部材の先端部近傍部位に、横方向に突出する靴踵当て板部材が固着され、前記ステッキ状棒部材の先端部から前記靴踵当て板部材の下面までの距離は靴底外面から靴のほぼ踵上縁までの距離に設定されていることを特徴とする携行型靴脱着補助具。
【請求項２】
前記ステッキ状棒部材の先端部近傍部位でかつ前記靴踵当て板部材の固着位置と異なる位置に、かつ前記ステッキ状棒部材の側部に対して所定の間隙を有して靴べら部材が固着されていることを特徴とする請求項１に記載した携行型靴脱着補助具。
【請求項３】
前記ステッキ状棒部材の先端に、該棒部材の軸線に対して左右および（または）前後に傾動自在な石突部を有することを特徴とする請求項１または２に記載した携行型靴脱着補助具。
【請求項４】
下端に支持台座が形成された支柱部材の下端部近傍部位に、横方向に突出する靴踵当て板部材が固着され、前記支柱部材の支持台座下面から前記靴踵当て板部材の下面までの距離は靴底外面から靴のほぼ踵上縁までの距離に設定されていることを特徴とする屋内配置型靴脱着補助具。
【請求項５】
前記支柱部材の下端部近傍部位でかつ前記靴踵当て板部材の固着位置と異なる位置に、かつ前記支柱部材の側部に対して所定の間隙を有して靴べら部材が固着されていることを特徴とする請求項４に記載した屋内配置型靴脱着補助具。
【考案の詳細な説明】
【技術分野】
【０００１】
本考案は靴を脱いだり、履いたりするのを容易にするための靴脱着補助具に関する。本考案は特に、ステッキを兼ねた形態に構成された携行型靴脱着補助具および屋内の靴脱着場所に設置される屋内配置型靴脱着補助具に関する。
【背景技術】
【０００２】
靴を履くときに使用される補助具として、従来から靴べらと称するものが存在し、靴の踵内側と人の踵足との間の隙間にへら状の部材を挿入し、靴を履く際に踵足が靴内に滑り込みやすくしている。この靴べらにもポケットに入るような小さな携行式のものと、長い柄状部材の先端に靴べらを形成し、立ち姿勢で使用できるようにした玄関など屋内設置用のものとがある。
【０００３】
履いている靴を脱ぐ場合は、靴の踵後部を手でつかんで押し下げるようにして脱ぐのが普通であるが、靴を脱ぐときの専用の補助具のようなものはなく、人によっては靴を履くときに使用した靴べらを靴の踵内に挿入して履いている靴を押し下げることで靴を脱ぐのに使用したりしている。
【０００４】
特許文献１〜４に示すものは、いずれも靴を履くときに使用する靴べらをステッキの先端部に装着したものであるが、靴を脱ぐときの専用の補助具については言及されていない。
【先行技術文献】
【特許文献】
【０００５】
【特許文献１】実用新案登録第３１８３０７２号公報
【特許文献２】特開２００１−２９９４１９号公報
【特許文献３】特開２００１−２８６３８３号公報
【特許文献４】実用新案登録第３１０４３６６号公報
【考案の概要】
【考案が解決しようとする課題】
【０００６】
靴を脱ぐ場合、一方の足の靴先で他方の足の靴の踵部分を押さえ付けて靴を脱いだり、身体をかがんで手先で靴の踵部を押し下げたりして脱ぐことが行われているが、身体をかがんで中腰姿勢で靴を脱ぐのは中〜高年者にとって苦痛となる。特に外出先の玄関フロアで座る椅子がないような場合は靴を脱ぐのに時間がかかったり、バランスを崩して転んだりする。また、靴ひもをほどいて靴を脱ぐような場合も、座る場所がないと、どうしても中腰姿勢にかがむことになり、腰を傷めたりする。特許文献１〜４に示すものは靴べらに関する構成であり、この構造のものを靴を脱ぐ場合に使用するには不都合が生じる。
【０００７】
本考案は、使用者が通常の姿勢で立ったまま簡単に靴を履いたり、脱いだりすることができ、また外出時にもそのままステッキとして使用できる携行型靴脱着補助具を提供することを目的とする。
【０００８】
本考案はまた、使用者が通常の姿勢で立ったまま簡単に靴を履いたり、脱いだりすることができ、かつ壁などに立て掛けたり吊るしたりすることなく、そのまま使用時の状態の立位状態で屋内の床上に設置できる屋内配置型靴脱着補助具を提供することを目的とする。
【課題を解決するための手段】
【０００９】
本考案に係る携行型靴脱着補助具は、ステッキ状棒部材の先端部近傍部位に、横方向に突出する靴踵当て板部材が固着され、前記ステッキ状棒部材の先端部から前記靴踵当て板部材の下面までの距離は靴底外面から靴のほぼ踵上縁までの距離に設定されていることを特徴とする。
【００１０】
本考案の１つの形態によれば、前記靴踵当て板部材の固着に加えて、さらに、前記ステッキ状棒部材の先端部近傍部位でかつ前記靴踵当て板部材の固着位置と異なる位置に、かつ前記ステッキ状棒部材の側部に対して所定の間隙を有して靴べら部材が固着された携行型靴脱着補助具が提供される。
【００１１】
本考案の他の形態によれば、前記ステッキ状棒部材の先端に、該棒部材の軸線に対して左右および（または）前後に傾動自在な石突部を有する携行型靴脱着補助具が提供される。
【００１２】
また、本考案に係る屋内配置型靴脱着補助具は、下端に支持台座が形成された支柱部材の下端部近傍部位に、横方向に突出する靴踵当て板部材が固着され、前記支柱部材の支持台座下面から前記靴踵当て板部材の下面までの距離は靴底外面から靴のほぼ踵上縁までの距離に設定されていることを特徴とする。
【００１３】
本考案の１つの形態によれば、前記靴踵当て板部材の固着に加えて、さらに、前記支柱部材の下端部近傍部位でかつ前記靴踵当て板部材の固着位置と異なる位置に、かつ前記支柱部材の側部に対して所定の間隙を有して靴べら部材が固着された屋内配置型靴脱着補助具が提供される。
【考案の効果】
【００１４】
本考案によれば、靴を脱ぐときに腰をかがめたり、座ったりすることなく、通常の立ち姿勢で靴脱ぎを行うことができ、また携行型のものにあっては、外出時にステッキとしても使用できる。屋内配置型のものでは、安定した状態で床上に起立状態に保持され、使用者は通常の立ち姿勢のままで簡単に靴脱ぎができる。  
【００１５】
また、本考案の請求項２に係る携行型靴脱着補助具によれば、外出先で靴を脱ぐ場合だけでなく、脱いだ靴を再び履く際にも立ったままの姿勢で簡単かつ迅速に靴を履くことができる。
【００１６】
さらに、本考案の請求項５に係る屋内配置型靴脱着補助具によれば、屋内の例えば玄関口のフロアで靴を履く場合にも、座ったり腰をかがめたりすることなく、立ったままの姿勢で簡単かつ迅速に靴を履くことができる。
【図面の簡単な説明】
【００１７】
【図１】本考案の実施例１に係る携行型靴脱着補助具の側面図である。
【図２】本考案の実施例１の変形例に係る携行型靴脱着補助具におけるステッキ状棒部材と石突部との連結部分を示す図であって、同図（ａ）はその部分的な側面図、同図（ｂ）はその部分的な正面図である。
【図３】本考案の実施例２における携行型靴脱着補助具を用いて靴を履くときの状態を示した側面図である。
【図４】本考案の実施例３に係る屋内型靴脱着補助具の側面図である。
【図５】図４の正面図である。
【図６】本考案の実施例４に係る屋内型靴脱着補助具の側面図である。
【考案を実施するための形態】
【００１８】
次に、本考案を、図面を参照しつつ、実施例について説明する。なお、以下の実施例では通常の男性用靴を例にとって説明するが、女性用の靴、運動靴その他一般の靴にも適用できる。
（実施例１）
図１を参照すれば、実施例１に係る携行型靴脱着補助具１０は外出時にステッキとして使用されるような長さのステッキ状棒部材１を有しており、このステッキ状棒部材１の先端部近傍部位の側部に、ステッキ状棒部材１に対して横方向に突出する踵当て板部材２が固着されている。この踵当て板部材２は、図示実施例１では前記棒部材１の側部にビス止めなどの手段で固着される取付座３と、取付座３の外面に直角に延びた当て板部材５とで構成されている。当て板部材５の突出長さは、ステッキ状棒部材１を靴６の踵８の後部に近接して地面７上に垂直に立てたとき、当て板部材５の先端下面が靴６の踵８の上縁８ａに接当する程度の長さで、かつステッキとして持ち歩くときに邪魔にならないように出来るだけ短い突出長さとするのがよい。また、ステッキ状棒部材１の先端から当て板部材５の下面までの距離Ｈは、ステッキ状棒部材１を地面７上に立てた状態で地面上の靴６の踵８の上縁８ａが当て板部材５の下面に接当することとなるような寸法にするのが望ましいが、必ずしもこの寸法に限定されるものではなく、この近辺の概略寸法に設定されてよい。
【００１９】
実施例１の変形例として、図２（ａ），（ｂ）に示すように、ステッキ状棒部材１の下端に装着される石突部１３がステッキ状棒部材１に対して回動できるように構成されている。コ字状に形成された石突部１３の底部１３ａが地面７に接当し、コ字状の両腕部１３ｂに軸体１５が装着されている。軸体１５はステッキ状棒部材１の下端部に形成された貫通孔１６に遊挿されており、これによってステッキ状棒部材１は図２（ａ）の矢視Ｆ方向からみた同図（ｂ）の正面図で示すように軸体１５のまわりに所定範囲で傾動し得るようになっている。この結果、使用者がステッキ状棒部材１を地面７に対して多少傾いて地面に押し付けても、石突部１３の底部全面が地面７に密着して接当することとなり、靴脱着補助具の下端に無理な力が作用せず、円滑な動作が確保される。
【００２０】
図２（ａ），（ｂ）に示す例は、地面に接触した石突部に対しステッキ状棒部材が正面視左右方向に傾動する構造であるが、他の例としてステッキ状棒部材が該棒部材の軸線まわりに回転し、かつ前後、左右およびすべてのまわりに傾動し得る構造とすることも可能である。石突部の上面を凹状の球面座とした臼蓋ソケット形態に構成し、前記ステッキ状棒部材の下端に前記球面座に回動自在に嵌合する球状部材を固着した構成とすることで実現できる。前記石突部の球面座と前記棒部材の下端球状部材との離脱不能な嵌合を可能とするために、前記石突部を中心で２分割構造とし、嵌合後に前記石突部の半体どおしを連結固着する構造とする。
【００２１】
（実施例２）
実施例１で述べた踵当て板部材２に加えて、本考案の実施例２ではさらに、ステッキ状棒部材１の先端部近傍部位で、かつ前記踵当て板部材２の取付け位置と反対側の棒部材側部に、該棒部材１に対して所定の間隙を有して靴べら部材９が取り付けられている。具体的には、この実施例２では、図３に示すように、ステッキ状棒部材１の側部にＬ形の間座部材１１が取付座１２を介して取り付けられ、このＬ形間座部材１１に下向きに延びる靴べら部材９が固着されている。ステッキ状棒部材１を靴６の踵８の後部に近接して下降させ、靴べら部材９を靴６の踵８の後部内面に挿入し、使用者の踵足の外面を靴べら部材９に沿わせるようにして下降させることにより、靴６の踵上縁８ａを傷めることなくスムーズに靴６を履くことができる。なお、靴べら部材９を取り付けるＬ形間座部材１１は靴べら部材９とステッキ状棒部材１との間に間隙をつくるためのものであり、この点で必ずしもＬ形の部材でなくても或る厚みをもつ板部材あるいはブロック状部材であってもよい。なお、この実施例２においても、図２で説明したような回動自在な石突部１３をステッキ状棒部材１の下端に連結した構成としてもよい。
【００２２】
（実施例３）
図４および図５は本考案の実施例３による屋内配置型靴脱着補助具２０（屋内型靴脱着補助具）の側面図および正面図である。一対の長尺の板材から成る支柱部材２１の下端内側にに矩形ブロック状の支持台座２２が固着されている。この支持台座２２は下面が平坦面に形成され、これによって支柱部材２１が屋内の、例えば靴を履脱する玄関口の床面２３に安定して設置されるようになっている。支柱部材２１の上端は横材２５によって２本の板材どおしが連結されている。この横材２５は支柱部材２１の強度や全体の剛性を確保することのほかに、屋内型靴脱着補助具２０の使用者がこの横材部分を手で掴んで支柱部材２１に寄りかかるときの把手の機能も有しており、また、本考案の屋内型靴脱着補助具２０を移動させるときの把手にもなっている。この実施例の屋内型靴脱着補助具２０の全長、即ち支柱部材２１の全長は概ね７０〜８０ｃｍである。
【００２３】
支柱部材２１の下端近傍の板材外側面２１ａあるいは支持台座２２が大形の場合はその側面に、実施例１で説明したような靴６の踵後部の上縁８ａに接当する当て板部材２６が固着されている。床面２３からの当て板部材２６の下面位置は、少なくとも床上にある靴６の踵８の底部外面から踵８の上縁８ａまでの距離Ｈに相当する位置、あるいはこれを若干超えるような高さ位置に設定されている。この構造で履いている靴６を脱ぐ場合は、この屋内型靴脱着補助具２０を靴６の踵８の後部近くに引き寄せて靴６の踵後部の上縁８ａを靴脱着補助具２０の当て板部材２６の下面に接当させると、靴６は当て板部材２６によって上方への持ち上げが拘束されるので、この状態で足を靴６から引き抜くことで容易に履いている靴６を立ったままで、かつ手等で靴を押さえ付けたりすることなくスムースに靴を脱ぐことができる。
【００２４】
（実施例４）
実施例４の屋内型靴脱着補助具２０では実施例３における当て板部材２６の取り付けに加えてさらに、支柱部材２１の下端近傍で、かつ前記当て板部材２６の固着側と反対側の支柱部材側部に、靴べら部材２７が該支柱部材２１に対して或る間隙を有して取り付けられている。この実施例４では、図６に示すように、Ｌ形の間座部材２８が支柱部材２１に固着され、この間座部材２８の外辺部に先端が下方へ延びる靴べら部材２７が取り付けられている。靴べら部材２７の取付け高さ位置は、この屋内型の靴脱着補助具２０を床面２３上に設置した状態で靴べら部材２７が床面２３上の靴底の内部に入るような高さ位置に設定されている。床面２３上の屋内型靴脱着補助具２０を移動させて靴の踵後部の内側に靴べら部材２７を挿入し、この靴べら部材２７を使用者の踵のガイドとして靴６を履くことで使用者は立ち姿勢のままでスムーズに靴を履くことができる。
【００２５】
靴を脱ぐときには、支柱部材２１に取り付けられた当て板部材２６を靴６の踵後部の上縁８ａに当てて靴を上方から拘束し、足を引き抜くことで簡単かつ迅速に靴を脱ぐことができる。この動作は実施例１または実施例３と同様である。
【００２６】
上述の実施例３、４では支柱部材２１として対向した一対の長尺の板材を採用した例を示したが、支柱部材としてはこのような形態のものに限定されるものではなく、１本の大径の丸棒、角柱などで支柱部材を構成してもよい。
【符号の説明】
【００２７】
１  ステッキ状棒部材
２  踵当て板部材
３，１２  取付座
５  当て板部材
８  踵
８ａ  踵上縁
９  靴べら部材
１０  携行型靴脱着補助具
１３  石突部
１５  軸体
２０  屋内型靴脱着補助具
２１  支柱部材
２２  支持台座
２６  当て板部材
２７  靴べら部材
【図１】
0003208897.tif 000003
【図２】
0003208897.tif 000004
【図３】
0003208897.tif 000005
【図４】
0003208897.tif 000006
【図５】
0003208897.tif 000007
【図６】
0003208897.tif 000008